(57)【要約】【課題】  小形で設置スペースが少なく、ある程度のまとまった量の処理物を効率よく処理可能な簡単な構造の減容袋詰め装置を提供する。【解決手段】  上方と下方が開放して、上方が広く下方が狭い逆円錐状のホッパー３と、該円錐状ホッパー３の略中心部に位置し、ホッパー内をホッパー略上面から下方に貫通して螺旋羽根を設け垂直方向に回転軸を有したスクリュ体４と、円錐状ホッパー３下端部の出口部にあって処理物収納用の収納袋２２を保持する袋保持部２と、収納袋２２への詰込みを制御する制御部とで構成された減容袋詰め装置。【選択図】      図２
2006327718.tif 000002
【特許請求の範囲】
【請求項１】
上方と下方が開放して、上方が広く下方が狭い逆円錐状のホッパーと、該円錐状ホッパーの略中心部に位置し、ホッパー内をホッパー略上面から下方に貫通して螺旋羽根を設け垂直方向に回転軸を有したスクリュ体と、円錐状ホッパー下端部の出口部にあって処理物収納用の収納袋を保持する袋保持部と、収納袋への詰込みを制御する制御部とで構成された軟質廃棄物等の減容袋詰め装置。
【請求項２】
袋保持部は、上方が円錐状ホッパー出口部内径と略同径の孔を有し、該孔の下方部は、下方に向けた末広がりの円錐状の袋ガイド部と、該袋ガイド部下方に収納袋を内設できる圧縮室で構成され、収納袋の入口部が袋ガイド部の内面に挿入されかつ外側に折り返され、
ホッパー側と袋保持部側とで挟持されることで保持され詰込み作業が行われることを特徴とした請求項１記載の軟質廃棄物等の減容袋詰め装置。
【請求項３】
スクリュ体出口側のスクリュ先端部は、収納袋がホッパー側と袋保持部側とで挟持されている挟持面より下方に位置していることを特徴とする請求項１または請求項２記載の軟質廃棄物等の減容袋詰め装置。
【請求項４】
処理物を収納する袋保持部を袋詰め処理位置より水平方向に引出し案内するレール部は、下方部に回動支点を設け、上下に回動開閉する圧縮室のカバーと兼用させたことを特徴とする請求項１から請求項３記載の軟質廃棄物等の減容袋詰め装置。
【発明の詳細な説明】
【技術分野】
【０００１】
本発明は、紙屑やビニール等の軟質の廃棄処理物を圧縮して収納袋に袋詰めする減容袋詰機に関するものである。
【背景技術】
【０００２】
廃棄物を運搬または保管する場合に、同じものであれば容積の少ない方が運搬や保管時に当然有利であり廃棄物を圧縮変形させて減容する方法は、実開平５−１３６９６号公報に示すようなシリンダ等によりプレス板で圧縮室に押し込んで廃棄物を圧縮する方法や、特開平６−２６９９９７号公報に示すような、スクリュを回転させて該スクリュにより廃棄物を圧縮させ収容袋に収容する方法が知られている。
【０００３】
また、減容された廃棄物は袋詰めすることで、搬送途中において成形が崩れたり、一体化しきれなかった一部分がこぼれたりすることを防止し、廃棄物からの悪臭等を防止することにも有効である。
【特許文献１】実開平５−１３６９６号公報
【特許文献２】特開平６−２６９９９７号公報
【発明の開示】
【発明が解決しようとする課題】
【０００４】
前記従来技術における特許文献１に示されたような縦型プレス方式の減容装置は、設置面積は少ないがプレス用のシリンダーや本例公報のような昇降運動をする鉛直なロッドが圧縮室の上方に圧縮ストロークと同等以上の長さに突設していて、これらのスペースが必要となり、圧縮室のプレス板の平面視における面積が広くなるにつれ同一の力で圧縮しても単一面積あたりの圧力が弱くなり、収納袋の断面とプレス板の大きさは略同一の形状の必要があり収納袋の大きさも制限される。このため、圧力を上げるには装置全体を堅牢な部材で構成する必要があり、大型化したり製造コストが嵩む問題がある。さらにプレス板が往復作動するため廃棄物を連続投入できない問題がある。
【０００５】
また、特許文献２に示されたスクリュによる減容装置は、縦形円筒状の圧縮室に投入口を設け、圧縮室内に設けた鉛直軸線回りに駆動回転自在のスクリュにより処理物を圧縮し、下方に設けたスクリュ外形と略同径の収容袋に収容するように構成されていて、さらに収容袋下方を上下動する受圧台上に押付けて収容するものであるが、収容袋の側面は規制がなく収納袋ごとに袋外周の形状が歪となり、収容回収された収納袋の運搬や格納時の取扱い性が悪くなる問題があり、受圧台を昇降させる手段や付勢手段が必要で構造が複雑となる問題があった。
【０００６】
また収容袋の外径は、略スクリュの径と同径となり、収容袋の径を変更しようとした場合はスクリュの径も変更の必要がある。更に、スクリュが内設された圧縮室の上方横部に被処理物を投入する投入口を設けているため、投入口の大きさが制約され連続投入する場合等に不向きである問題があった。
【０００７】
このため本発明の目的は、小型で設置スペースが少なくある程度のまとまった量の紙屑やビニール等の軟質廃棄物を効率よく連続して処理可能で簡単な構造の減容袋詰め装置を提供することにある。
【課題を解決するための手段】
【０００８】
上記課題を解決するために、上方と下方が開放して、上方が広く下方が狭い逆円錐状のホッパーと、該円錐状ホッパーの略中心部に位置し、ホッパー内をホッパー上面から下方に貫通して螺旋羽根を設け垂直方向に回転軸を有したスクリュ体と、円錐状ホッパー下端部の出口部にあって処理物収納用の収納袋を保持する袋保持部と、収納袋への詰込みを制御する制御部とで構成された軟質廃棄物等の減容袋詰め装置を提案する。
【０００９】
また０００８欄記載の減容袋詰め装置において、袋保持部は、上方が円錐状ホッパー出口部内径と略同径の孔を有し、該孔の下方部は、下方に向けた末広がりの円錐状の袋ガイド部と、該袋ガイド部下方に収納袋を内設できる圧縮室で構成され、収納袋の入口部は袋ガイド部の内面に挿入されかつ外側に折り返され、ホッパー側と袋保持部側とで挟持されることで保持され詰込み作業が行われることを特徴とした軟質廃棄物等の減容袋詰め装置を提案する。
【００１０】
更に、スクリュ体出口側のスクリュ先端部は、収納袋がホッパー側と袋保持部側とで挟持されている挟持面より下方に位置していることを特徴とする０００８又は０００９欄記載の軟質廃棄物等の減容袋詰め装置を提案する。
【００１１】
更にまた、処理物を収納する袋保持部を袋詰め処理位置より水平方向に引出し案内するレール部は、下方部に回動支点を設け、上下に回動開閉する圧縮室のカバーと兼用させたことを特徴とする０００８又は０００９又は００１０欄記載の軟質廃棄物等の減容袋詰め装置を提案する。
【発明の効果】
【００１２】
この発明によれば、垂直方向に回転軸を有したスクリュ体を設け、この出口部に収納袋部を設けた配置により、小型で設置スペースの少ない減容装置が提供可能で、プレス方式に比較し廃棄処理物の連続投入が可能であるとともに、比較的簡易な部材で大きな変形圧縮力を得ることができるため製造コストも嵩むことがない。
【００１３】
逆円錐状のホッパーと、該円錐状ホッパーの略中心部に位置し、ホッパー内をホッパー上面から下方に貫通して螺旋羽根を設け処理物を搬送圧縮する垂直方向に回転軸を有したスクリュ体の構造により、ホッパー上方部より投入された被処理物は、円錐状斜面を滑り落ち、またはホッパー内を貫通したスクリュ体に押されて滞留することがなく、効率よくホッパー中心部のスクリュ体部に集められ変形圧縮されると共に下方に搬送される。
【００１４】
また、ホッパーの投入口は上方部の広く開放された全面を使用可能で、一部分を使用する場合においても希望する方向に投入口を設置でき、ホッパーの容量を調整することで連続投入も可能である。
【００１５】
また袋保持部は、ホッパー出口部内径と略同径の孔を有し、下方部は下方に向けた末広がりの円錐状の袋ガイド部を設け、袋ガイド部の下方を収納袋が内設できる圧縮室としたことにより、圧縮搬送された被処理物が下方に末広がりに分散されて収納袋に圧縮収納され、スクリュ体外径より大きい径の収納袋に収納可能で、袋入口部の肩部に局部的な押圧力や片寄った背圧力がかかりにくく、収納袋の入力部が破損することもなく袋内に均一に加圧収納されると共に圧縮室の内面に押付けられ収納袋外周は歪な形状とならず収納後の袋の取扱いが容易となる。
【００１６】
また、スクリュ体出口部のスクリュ先端部は、収納袋をホッパー側と袋保持部側とで挟持している挟持面より下方に位置しているため、収納袋が満杯状態となって収納袋を取り外す時に廃棄処理物はスクリュ先端部位置まで詰め込まれ、スクリュ先端部から収納袋の挟持されている部分が閉じ代となり袋を簡単に閉じることができ、収納された被処理物のこぼれ防止となり収納後の袋の取扱い性が良好となると共に、梱包作業効率が格段に向上する。
【００１７】
また、袋保持部を袋詰め処理位置より水平方向に引出し案内するレール部を、上下に回動開閉する圧縮室のカバーと兼用させたことにより、閉じることで格納や移動時或いは袋詰め作業時においてスペースを少なくできる利点がある。
【発明を実施するための最良の形態】
【００１８】
以下本発明の実施例を図面に基づいて説明する。
図１は本発明を実施した減容袋詰め装置の正面図、図２は同減容袋詰め装置の側断面図、図３は同減容袋詰め装置の収納袋入口取付け部の断面図、図４は袋保持部に袋をセットし袋詰め位置下方に移動させた一部断面側面図、図５は袋保持部が上昇し袋詰め作業が開始された状態を示した側面図、図６は収納袋が満杯状態になった状態を示した側面図、図７は収納袋が満杯状態になり袋保持部を下降させた状態を示した側面図、図８は袋保持部が引き出され袋入口部を閉じた状態を示した側面図、図９は制御部の運転フローチャートを示したものである。
【００１９】
本発明の減容袋詰め装置は、フレーム１に載設されていて、フレーム１下部には車輪１ａが設けてあり移動が可能である。フレーム１には、被処理物収納用の収納袋２２を保持する袋保持部２を垂直方向に昇降させる昇降テーブル１１が設けてある。
【００２０】
昇降テーブル１１下方は、昇降アーム１１ｂで構成された平行リンクでフレーム１に連結されていて、この平行リンクとフレーム１間に連結されたテーブル昇降シリンダー１１ａを伸縮することにより、昇降テーブル１１は昇降する。
【００２１】
袋保持部２は、収納袋２２の入口部を取付ける袋ガイド２０部分と、収納袋２２の本体部分をサポートする圧縮室２１部分とで構成され、袋ガイド２０は上方が円錐状ホッパー３出口部内径と略同径の孔を有し、該孔の下方部は下方に向けた末広がりの円錐状となっている。さらに圧縮室２１正面部には観音開きに開放し被処理物を収納した収納袋２２を取出すための圧縮室扉２１ａが設けられていて、圧縮室扉２１ａは左右それぞれの扉に設けた蝶番２１ｃにより回動し、袋詰め作業時は閉じて固定レバー２１ｂにより固定する。
【００２２】
袋保持部２は、昇降テーブル１１上に設けたレール１０ａにレールガイドローラ１１ｄを介し乗せられていて、レール１０ａ上を水平方向にスライド可能であり、スライドロックレバー１１ｃは袋保持部のスライドを固定する為のもので、詰め込み作業時はスライドロックレバー１１ｃで詰め込み位置に固定する。
【００２３】
袋保持部２全体は、安全上四方がカバーで覆われていて、正面のカバー部は、下方部の水平方向に設けたカバー回動支点１０ｃを中心に上下方向に回動させ水平方向まで開くことができ、該圧縮室カバー１０を水平方向まで開くことにより圧縮室カバー１０に設けたレール１０ａと昇降テーブル１１上に設けたレール１０ａとが連接するように構成されている。これにより袋保持部２をレール１０ａをガイドにして水平方向に引き出すことが可能で、引き出すことにより収納袋２２の取出しや取付けが容易にできる。また、圧縮室カバー１０を閉じることにより装置全体の占有床面積が減少し、格納や移動時或いは袋詰め作業時においてスペースを少なくできる。圧縮室カバー１０を閉じる場合は、装置正面に設けたカバー固定ハンドル１０ｂによりロックする。
【００２４】
袋保持部２の上方には、被処理物投入用のホッパー３と被処理物圧縮搬送用のスクリュ体４が設けられていて、ホッパー３はホッパーフレーム３ａに保持され、上方と下方が開放して上方が広く下方が狭い逆円錐状に形成されていて、上方の開放した部分より被処理物を投入する。本実施例においては、正面側の一部に投入扉３ｂを設け、この部分より被処理物を投入するように構成してある。
【００２５】
投入された被処理物は、円錐状のホッパー３の略中心部に位置し、ホッパー３内をホッパー略上面から下方に貫通して螺旋羽根を設け垂直方向に回転軸を有したスクリュ体４により、下方の袋保持部２側へ圧縮搬送される。スクリュ体４上端部は、ホッパー３上方に設けた減速機付のモータ４０に連結されて駆動されている。
【００２６】
スクリュ体４の下方部は図３に示すように、収納袋２２がホッパー３側と袋保持部２側とで挟持されている挟持面Ｐより下方に位置していて、収納袋２２に投入され圧縮された被処理物は満杯時においてスクリュ先端部まで詰め込まれ、スクリュ先端部から収納袋の挟持されている袋の上方部分が閉じ代となり、袋を簡単に閉じることができる。これにより、収納された被処理物のこぼれ防止となり収納後の袋の取扱い性も良好となると共に、梱包作業効率が格段に向上する。
【００２７】
スクリュ体４の排出側先端部は、押付け方向に対し後退角Ｆを設けると、収納袋２２内において被処理物が外周方向にガイドされ収納効率が向上すると共に、満杯終了時に収納袋入口部の被処理物は凹状に成形され外にこぼれにくくなる。さらに、収納袋２２の入口部を、ひもを通した巾着状に構成すると梱包作業効率が格段に向上する。
【００２８】
次に、この発明の実施形態の減容袋詰め装置について作業工程を説明する。
図４は袋保持部２に収納袋２２をセットし袋詰め位置下方に移動させた状態を示し、スライドロックレバー１１ｃで水平方向のスライドを固定しセットされている。
【００２９】
次に、図５に示すように袋保持部２が上昇し、袋ガイド２０部がホッパーフレーム３ａに当接し袋入口が保持され袋詰め作業が開始される。被処理物は、ホッパー３上方の投入扉３ｂを開けて投入され、円錐状ホッパー３斜面を滑り落ち、またはホッパー３内を貫通したスクリュ体４に押されてホッパー中心部のスクリュ体４部分に集められ滞留することがなく効率よく変形圧縮されると共に下方に搬送される。下方に搬送された被処理物は、収納袋２２内に順次蓄積圧縮収納される。このとき末広がりの円錐状の袋ガイド２０部により、入口より広い収納袋２２外周部に被処理物はガイドされ、内側から外周部に亘って均一に収納される。
【００３０】
図６は、収納袋２２が満杯になった状態を示したもので、収納袋２２内の内圧により外方向に突出した満杯感知シャフト２１ｅにより満杯センサー２１ｄが押され、この信号を感知した制御盤５部分に内装された制御部はスクリュ体４を停止させる。
【００３１】
満杯になった袋保持部２は、図７に示すように袋保持部２が載せられた昇降テーブル１１が下降し、スライドロックレバー１１ｃを外すと水平方向に引出し可能となり、図８は水平方向に引き出した収納袋の入口部を閉じた状態を示したものである。
【００３２】
図９において、装置正面に設けた制御盤５によって操作する制御部をフローチャートにより説明する。装置正面上方部に設けたメインスイッチ５０をＯＮにすると（ｓ１）、制御盤５の電源ランプが点灯し制御部は作動条件を確認する。作動条件は非常停止スイッチや停止スイッチの状態および袋保持部２の位置の確認をし、袋保持部２が詰め込み作業位置でないと運転ランプが点滅し警告する（ｓ２）。
【００３３】
次に、セレクタースイッチを自動に切替え自動運転の準備をする。投入扉３ｂを開けると、投入扉リミットスイッチ３ｃがＯＦＦとなり、スクリュ体４が停止する（ｓ３）。
被処理物を投入し投入扉３ｂを閉じると、投入扉リミットスイッチ３ｃがＯＮとなり運転待機状態となる。収納袋２２の圧縮詰め込み容量に対しホッパー３の容量を同一にまたは投入量を同一にすることで投入回数が１回で済み１収納袋分として１工程で終了することが可能となる。
【００３４】
制御盤５の昇降テーブル上昇スイッチをＯＮにすると（ｓ４）、袋保持部２が載せられた昇降テーブル１１が上昇し、昇降テーブルの上限リミットスイッチ１２ａが押されると停止する。
【００３５】
次に、制御盤の運転スイッチをＯＮにすると（ｓ５）、運転ランプが点灯すると共にスクリュ体４が回転を開始し詰め込み作業が開始される。詰め込み作業により収納袋２２が満杯となると、満杯センサー２１ｄがＯＮとなり（ｓ６）タイマーにより一定時間スクリュ体４を回転継続し（ｓ８）収納袋内に予圧をかけた後スクリュ体４が停止し（ｓ９）、運転ランプが消灯して梱包完了ランプが点灯する。収納袋２２が満杯となると、スクリュ体４を回転させているモータ４０の負荷も大きくなるため、この負荷電流を感知して満杯状態を感知（ｓ７）してもよい。
【００３６】
満杯センサー２１ｄがＯＮになると、梱包完了ランプが点滅するとともにブザーがＯＮとなる。続いて制御盤の昇降テーブル下降スイッチをＯＮにすると（ｓ１０）、昇降テーブル１１が袋保持部２と共に下降し昇降テーブルが下限リミットスイッチ１２ｂを押すと停止する（ｓ１１）。梱包完了のブザーは、昇降テーブルの上限リミットスイッチ１２ａがＯＦＦとなると停止する。
【００３７】
袋保持部２が引き出されると、袋保持部位置感知リミットスイッチがＯＦＦとなり、梱包完了ランプが消灯し梱包が完了する（ｓ１２）。
【図面の簡単な説明】
【００３８】
【図１】本発明を実施した減容袋詰め装置の正面図
【図２】同減容袋詰め装置の側断面図
【図３】同減容袋詰め装置の収納袋入口取付け部の断面図
【図４】袋保持部に袋をセットし袋詰め位置下方に移動させた一部断面側面図
【図５】袋保持部が上昇し袋詰め作業が開始された状態を示した側面図
【図６】収納袋が満杯状態になった状態を示した側面図
【図７】収納袋が満杯状態になり袋保持部を下降させた状態を示した側面図
【図８】袋保持部が引き出され袋入口部を閉じた状態を示した側面図
【図９】制御部の運転フローチャート
【符号の説明】
【００３９】
１      フレーム
１ａ    車輪
１０    圧縮室カバー
１０ａ  レール
１０ｂ  カバー固定ハンドル
１０ｃ  カバー回動支点
１１    昇降テーブル
１１ａ  テーブル昇降シリンダー
１１ｂ  昇降アーム
１１ｃ  スライドロックレバー
１１ｄ  レールガイドローラ
１２ａ  上限リミットスイッチ
１２ｂ  下限リミットスイッチ
２      袋保持部
２０    袋ガイド
２１    圧縮室
２１ａ  圧縮室扉
２１ｂ  固定レバー
２１ｃ  蝶番
２１ｄ  満杯センサー
２１ｅ  満杯感知シャフト
２２    収納袋
３      ホッパー
３ａ    ホッパーフレーム
３ｂ    投入扉
３ｃ    投入扉リミットスイッチ
４      スクリュ体
４０    モータ
５      制御盤
５０    メインスイッチ
Ｐ      挟持面
Ｆ      後退角
【図１】
2006327718.tif 000003
【図２】
2006327718.tif 000004
【図３】
2006327718.tif 000005
【図４】
2006327718.tif 000006
【図５】
2006327718.tif 000007
【図６】
2006327718.tif 000008
【図７】
2006327718.tif 000009
【図８】
2006327718.tif 000010
【図９】
2006327718.tif 000011